(57)【特許請求の範囲】
【請求項１】
枠体と、断熱性を有し、前記枠体に嵌合可能な蓋体とを有し、前記蓋体を前記枠体に押止するロック機構を有し、
前記枠体に前記蓋体を押止した状態の前面を養生テープで覆ったことを特徴とする基礎点検口。
【請求項２】
枠体と、断熱性を有し、前記枠体に嵌合可能な蓋体とを有し、前記蓋体を前記枠体に押止するロック機構を有し、
前記枠体の後開口部を塞ぎ、布基礎に配置後に打ち抜くことができる打抜き板を有し、前
記打抜き板は、前記枠体の後縁部に沿った肉薄部を介して前記枠体に一体的に形成されていることを特徴とする基礎点検口。
【請求項３】
枠体と、断熱性を有し、前記枠体に嵌合可能な蓋体とを有し、前記蓋体を前記枠体に押止するロック機構を有し、
前記枠体の下部に、前記枠体を布基礎形成下地面に仮止めするための仮止用リブを有することを特徴とする基礎点検口。
【請求項４】
枠体と、断熱性を有する蓋体とを有し、
前記枠体、及び、前記蓋体には、前記蓋体を前記枠体の前面側から嵌め込むと、前記蓋体と前記枠体とが前記蓋体及び前記枠体の全周にわたって互いに当接する当接面が夫々設けられており、
前記枠体が有する当接面、及び、前記蓋体が有する当接面の少なくとも一方にパッキンが取り付けられ、
前記枠体に前記蓋体を嵌め込んだ状態の前面を養生テープで覆ったことを特徴とする基礎点検口。
【請求項５】
枠体と、断熱性を有する蓋体とを有し、
前記枠体、及び、前記蓋体には、前記蓋体を前記枠体の前面側から嵌め込むと、前記蓋体と前記枠体とが前記蓋体及び前記枠体の全周にわたって互いに当接する当接面が夫々設けられており、
前記枠体が有する当接面、及び、前記蓋体が有する当接面の少なくとも一方にパッキンが取り付けられ、
前記枠体の後開口部を塞ぎ、布基礎に配置後に打ち抜くことができる打抜き板を有し、前
記打抜き板は、前記枠体の後縁部に沿った肉薄部を介して前記枠体に一体的に形成されていることを特徴とする基礎点検口。
【請求項６】
枠体と、断熱性を有する蓋体とを有し、
前記枠体、及び、前記蓋体には、前記蓋体を前記枠体の前面側から嵌め込むと、前記蓋体と前記枠体とが前記蓋体及び前記枠体の全周にわたって互いに当接する当接面が夫々設けられており、
前記枠体が有する当接面、及び、前記蓋体が有する当接面の少なくとも一方にパッキンが取り付けられ、
前記枠体の下部に、前記枠体を布基礎形成下地面に仮止めするための仮止用リブを有することを特徴とする基礎点検口。
【発明の詳細な説明】
【技術分野】
【０００１】
本発明は、建物の基礎点検口に関する。
【背景技術】
【０００２】
近年、地球温暖化などの環境問題の対策の一環として、建物の構造においても気密性、断熱性を向上させることで一層の省エネを図ることが望まれており、例えば、ユニットバスを用いた浴室の下方空間を気密・断熱構造として省エネ化を図ることが行われている。具体的には、コンクリート製の布基礎で囲まれた浴室の下方空間内への通気を遮断するとともに、布基礎の内壁に断熱材を張りめぐらせることにより、気密性及び断熱性を高めている。ただし、布基礎には床下を点検するための人通口又は点検口（基礎点検口）を設ける必要があり、布基礎の内壁の全周全面に断熱材を貼り付けることはできない。
【０００３】
そこで、布基礎に設けた人通口を介する通気を遮断し、断熱を図るべく、布基礎の人通口に固着される枠体の開口部に、断熱性を有する蓋体を嵌合着脱自在に取り付けることができる床下人通口用気密蓋が提案されている（例えば、特許文献１参照）。
【０００４】
【特許文献１】実用新案登録第３０７８３４５号公報
【発明の開示】
【発明が解決しようとする課題】
【０００５】
しかしながら、従来の技術では、蓋体を枠体の開口部に押し込むことによって嵌合しているのみであるため、蓋体と枠体との間に隙間が生じ、気密性が損なわれるという問題があった。また、蓋体を枠体の開口部に押し込むだけでは、蓋体が枠体から脱落してしまう虞もあった。
【０００６】
また、従来の技術では、枠体は、布基礎形成用の型枠内に予め位置決めして配され、そこにコンクリートを流し込んで固化させることにより、布基礎の形成と同時に配置されていた。このため、コンクリートを流し込んだときに枠体に応力が及び、ひずみが生じる虞があった。枠体にひずみが生じてしまうと、蓋体が嵌合できなくなってしまったり、枠体と蓋体との間に隙間が生じて気密性が損なわれたりするという問題がある。
【０００７】
また、従来の技術では、枠体の位置決めを布基礎形成用の型枠上から吊り下げることによって行うため、枠体が安定せず、位置決めが困難であるという問題があった。また、枠体が不安定であると、コンクリートを流し込んだときに配置がずれる危険性もある。さらに、流し込んだコンクリートが枠体内に入り込む虞もある。
【０００８】
また、従来の技術では、布基礎形成用の型枠内面に塗布される離型剤が枠体の前後周面に付着して汚れてしまい、外観を損なう虞があった。
【０００９】
本発明は、上述した課題に鑑みてなされたものであり、その目的は、高い気密性及び断熱性を有する基礎点検口を提供することにある。
【課題を解決するための手段】
【００１０】
すなわち、本発明は、以下のようなものを提供する。
（１）枠体と、断熱性を有し、枠体に嵌合可能な蓋体とを有し、蓋体を枠体に押止するロック機構を有し、枠体に前記蓋体を押止した状態の前面を養生テープで覆ったことを特徴とする基礎点検口。 
【００１１】
（１）の発明によれば、ロック機構により蓋体を枠体に押止するため、蓋体と枠体との間に生じる隙間を小さくすることができる。従って、蓋体を枠体に嵌合した状態での気密性を高めることができる。また、嵌合した蓋体が枠体から脱落したり、嵌合が緩くなったりすることを防止することができるため、向上した気密性を維持することが可能となる。
【００１２】
更に、布基礎形成後に養生テープを剥がすことにより、型枠の離型剤が付着して蓋体及び枠体が汚れるのを防止することができる。
【００１３】
さらに、本発明は、以下のようなものを提供する。
（２）枠体と、断熱性を有し、枠体に嵌合可能な蓋体とを有し、蓋体を枠体に押止するロック機構を有し、枠体の後開口部を塞ぎ、布基礎に配置後に打ち抜くことができる打抜き板を有し、打抜き板は、枠体の後縁部に沿った肉薄部を介して枠体に一体的に形成されていることを特徴とする基礎点検口。 
【００１４】
（２）の発明によれば、ロック機構により蓋体を枠体に押止するため、蓋体と枠体との間に生じる隙間を小さくすることができる。従って、蓋体を枠体に嵌合した状態での気密性を高めることができる。また、嵌合した蓋体が枠体から脱落したり、嵌合が緩くなったりすることを防止することができるため、向上した気密性を維持することが可能となる。更に、打抜き板によって枠体の形状が維持されるため、布基礎形成時に流し込まれるコンクリートによって枠体にひずみが生じることを防止することができる。また、打抜き板は枠体の開口部を塞いでいるため、布基礎形成時にコンクリートが枠体内に流れ込むのを防止することができる。さらに、打抜き板は、肉薄部を介して枠体とつながっているため、布基礎完成後に容易に打ち抜くことができる。
【００１５】
さらに、本発明は、以下のようなものを提供する。
（３）枠体と、断熱性を有し、枠体に嵌合可能な蓋体とを有し、蓋体を枠体に押止するロック機構を有し、枠体の下部に、枠体を布基礎形成下地面に仮止めするための仮止用リブを有することを特徴とする基礎点検口。 
【００１６】
（３）の発明によれば、ロック機構により蓋体を枠体に押止するため、蓋体と枠体との間に生じる隙間を小さくすることができる。従って、蓋体を枠体に嵌合した状態での気密性を高めることができる。また、嵌合した蓋体が枠体から脱落したり、嵌合が緩くなったりすることを防止することができるため、向上した気密性を維持することが可能となる。更に、仮止用リブにより、釘等を用いて枠体を布基礎形成下地面に仮止めすることができる。その結果、布基礎形成用の型枠内における枠体の位置決めが容易になる。また、型枠内にコンクリートを流し込んだ際に、枠体が浮き上がる等、位置がずれるのを防止することができる。
【００１７】
さらに、本発明は、以下のようなものを提供する。
（４）枠体と、断熱性を有する蓋体とを有し、枠体、及び、蓋体には、蓋体を枠体の前面側から嵌め込むと、蓋体と枠体とが蓋体及び枠体の全周にわたって互いに当接する当接面が夫々設けられており、枠体が有する当接面、及び、蓋体が有する当接面の少なくとも一方にパッキンが取り付けられ、枠体に蓋体を嵌め込んだ状態の前面を養生テープで覆ったことを特徴とする基礎点検口。 
【００１８】
（４）の発明によれば、断熱性を有する蓋体を枠体に嵌合した際に蓋体と枠体とが互いに当接する当接面（蓋体側の当接面及び枠体側の当接面）のうち、少なくとも一方にパッキンを取り付ける。パッキンにより、枠体と蓋体との間に隙間が生じることを防止することができるため、蓋体を枠体に嵌合した状態での気密性を高めることができる。更に、布基礎形成後に養生テープを剥がすことにより、型枠の離型剤が付着して蓋体及び枠体が汚れるのを防止することができる。 
【００１９】
さらに、本発明は、以下のようなものを提供する。
（５）枠体と、断熱性を有する蓋体とを有し、枠体、及び、蓋体には、蓋体を枠体の前面側から嵌め込むと、蓋体と枠体とが蓋体及び枠体の全周にわたって互いに当接する当接面が夫々設けられており、枠体が有する当接面、及び、蓋体が有する当接面の少なくとも一方にパッキンが取り付けられ、枠体の後開口部を塞ぎ、布基礎に配置後に打ち抜くことができる打抜き板を有し、打抜き板は、枠体の後縁部に沿った肉薄部を介して枠体に一体的に形成されていることを特徴とする基礎点検口。 
【００２０】
（５）の発明によれば、断熱性を有する蓋体を枠体に嵌合した際に蓋体と枠体とが互いに当接する当接面（蓋体側の当接面及び枠体側の当接面）のうち、少なくとも一方にパッキンを取り付ける。パッキンにより、枠体と蓋体との間に隙間が生じることを防止することができるため、蓋体を枠体に嵌合した状態での気密性を高めることができる。更に、打抜き板によって枠体の形状が維持されるため、布基礎形成時に流し込まれるコンクリートによって枠体にひずみが生じることを防止することができる。また、打抜き板は枠体の開口部を塞いでいるため、布基礎形成時にコンクリートが枠体内に流れ込むのを防止することができる。さらに、打抜き板は、肉薄部を介して枠体とつながっているため、布基礎完成後に容易に打ち抜くことができる。
【００２１】
さらに、本発明は、以下のようなものを提供する。
（６）枠体、及び、蓋体には記蓋体を枠体の前面側から嵌め込むと、蓋体と枠体とが蓋体及び枠体の全周にわたって互いに当接する当接面が夫々設けられており、枠体が有する当接面、及び、蓋体が有する当接面の少なくとも一方にパッキンが取り付けられ、枠体の下部に、枠体を布基礎形成下地面に仮止めするための仮止用リブを有することを特徴とする基礎点検口。 
【００２２】
（６）の発明によれば、断熱性を有する蓋体を枠体に嵌合した際に蓋体と枠体とが互いに当接する当接面（蓋体側の当接面及び枠体側の当接面）のうち、少なくとも一方にパッキンを取り付ける。パッキンにより、枠体と蓋体との間に隙間が生じることを防止することができるため、蓋体を枠体に嵌合した状態での気密性を高めることができる。更に、仮止用リブにより、釘等を用いて枠体を布基礎形成下地面に仮止めすることができる。その結果、布基礎形成用の型枠内における枠体の位置決めが容易になる。また、型枠内にコンクリートを流し込んだ際に、枠体が浮き上がる等、位置がずれるのを防止することができる。
【発明の効果】
【００２３】
本発明によれば、高い気密性及び断熱性を有する基礎点検口を提供することができる。
【発明を実施するための最良の形態】
【００２４】
以下、本発明の実施形態について図面を用いて説明する。
図１（ａ）は、本実施形態に係る基礎点検口の平面図であり、（ｂ）は、正面図であり、（ｃ）は、横断面図であり、（ｄ）は、側面図である。
本実施形態に係る基礎点検口１は、蓋体１０と枠体２０とを有し、枠体２０の開口部２９に蓋体１０を着脱自在に嵌め込むことが可能な構造である。本実施形態では、蓋体１０は断熱性を有する発泡合成樹脂製であり、枠体２０は合成樹脂製である。
【００２５】
枠体２０には、開口部２９の後方を塞ぐように、打抜き板２１が肉薄部２２を介して枠体２０に一体的に形成されている。
また、枠体２０の左右側面下部には、仮止釘用リブ２８が設けられている。図１（ｂ）に示すように、仮止釘用リブ２８を介して布基礎形成下地面に釘３２を打ち込むことにより、基礎点検口１を布基礎形成下地面に固定（仮止め）することができる。
【００２６】
枠体２０に蓋体１０を嵌合した際に枠体２０と蓋体１０とが当接する蓋体側当接面１６（図２参照）には、ＥＰＤＭ（エチレン−プロピレン−ジエンゴム）製の気密テープ１５が取り付けられている。気密テープ１５により、枠体２０と蓋体１０との間に隙間が生じるのを防止することができる。
【００２７】
蓋体１０には、スライド式ロック１３が設けられており、蓋体１０を枠体２０に嵌合した後、スライド式ロック１３を枠体２０の正面に向かって左方向にスライドさせることにより、蓋体１０を枠体２０に押止することができる。
【００２８】
また、基礎点検口１の前面及び後縁面には、養生テープ３１が貼り付けられている。後縁面とは、基礎点検口１（枠体２０）の最後面のうち、打抜き板２１と肉薄部２２とを除く面である。図１では、理解しやすいように、養生テープ３１を、基礎点検口１から離れた位置に図示している。
布基礎形成後に、養生テープ３１を剥がすことにより、布基礎の型枠に塗布される離型剤が基礎点検口１に付着するのを防止することができる。
【００２９】
図２（ａ）は、蓋体の平面図であり、（ｂ）は、右側面図であり、（ｃ）は、正面図であり、（ｄ）は、左側面図であり、（ｅ）は、底面図であり、（ｆ）は、背面図である。
上述したように、本実施形態に係る蓋体１０は断熱性を有する発泡合成樹脂製であるが、本発明において、蓋体の材質は、断熱性を有するものであれば特に限定されない。
【００３０】
蓋体１０は、全周に、枠体２０に嵌合した際に枠体２０に当接する蓋体側当接面１６を有する。そして、蓋体側当接面１６には、ＥＰＤＭ製の気密テープ１５が取り付けられている。気密テープ１５は、本発明におけるパッキンに相当する。
【００３１】
蓋体１０には、凸部１１及び凸部１２が設けられている。蓋体１０を枠体２０に嵌合する際には、凸部１１及び凸部１２を、夫々枠体２０の凹部２４及び凹部２３（図３参照）に嵌め込む。
【００３２】
蓋体１０の左端部には、スライド式ロック１３がロック押さえ板１４によって、左右方向にスライド可能に保持されている。蓋体１０を枠体２０に嵌合した後、スライド式ロック１３を蓋体１０の正面に向かって左方向にスライドさせることにより、蓋体１０を枠体２０に押止することができる。スライド式ロック１３は、本発明におけるロック機構に相当する。
なお、本発明におけるロック機構は、スライド式ロックに限定されるものではない。例えば、レバー式ロックであってもよい。
【００３３】
図３（ａ）は、枠体の平面図であり、（ｂ）は、正面図であり、（ｃ）は、背面図であり、（ｄ）は、横断面図である。
上述したように、本実施形態に係る枠体２０は合成樹脂製であるが、本発明において、枠体の材質は特に限定されず、例えば、金属製であってもよい。
【００３４】
枠体２０には、開口部２９の後方を塞ぐように、打抜き板２１が形成されている。打抜き板２１は、肉薄部２２を介して枠体２０に一体的に形成されており、布基礎形成後には、肉薄部２２において切り離す（打ち抜く）ことができる。
【００３５】
また、枠体２０は、開口部２９の全周に、枠体側当接面３０を有している。枠体側当接面３０は、枠体２０に蓋体１０を嵌合した際に、気密テープ１５を介して蓋体側当接面１６と接することとなる。
【００３６】
また、枠体２０には、凹部２３、凹部２４及び凹部２６が設けられている。凹部２３及び凹部２４には、蓋体１０を嵌合する際に夫々蓋体１０の凸部１２及び凸部１１が嵌め込まれる。凹部２６には、蓋体１０が備えるスライド式ロック１３をスライドさせた場合に、スライド式ロック１３の左端部が挿入される。
【００３７】
また、枠体２０には、凹部２４を覆うように押さえ板２５が設けられるとともに、凹部２６を覆うように押さえ板２７が設けられている。押さえ板２５は、凹部２４に嵌め込まれた凸部１１を保持し、押さえ板２７は、凹部２６に挿入されたスライド式ロック１３の左端部を保持する。
【００３８】
また、枠体２０の左右側面下部には、仮止釘用リブ２８が設けられている。仮止釘用リブ２８は、枠体２０を布基礎形成下地面に釘で固定（仮止め）するために用いられる。仮止釘用リブ２８は、本発明における仮止用リブに相当する。
なお、本実施形態では、枠体２０を釘によって布基礎形成下地面に固定する場合について説明するが、本発明においては、この例に限定されない。例えば、枠体２０をボルトによって布基礎形成下地面に固定してもよい。
【００３９】
図４は、本発明に係る基礎点検口が備えられた建物の一例を示す断面透視図である。
図４に示すように、建物５００では、コンクリート製のベタ基礎２０１に立設された布基礎（布基礎２０２及び布基礎２０３）に、基礎パッキン４０を介して土台２０４が載置され、その上に、床５１０や壁（外周壁５０８や浴室壁（ドア）５０５）等が所定の位置に配置されている。これにより、建物５００には、ユニットバス５０４が配設された浴室５０２と、例えば洗面脱衣室などの浴室以外の居住部５０１とが形成される。
なお、布基礎２０２は、屋外に面した布基礎であり、布基礎２０３は、浴室５０２の下方空間５０３と浴室以外の居住部５０１の床下５１１とを区画するための布基礎である。
【００４０】
建物５００は、浴室５０２の下方空間５０３を気密構造にして省エネ化を図っている。建物５００では、下方空間５０３を囲む布基礎２０２及び布基礎２０３の内壁に断熱材５０７が設けられている。これにより、下方空間５０３の断熱性が高められている。
【００４１】
また、下方空間５０３を囲む布基礎２０２及び布基礎２０３の上に載置されている基礎パッキン４０は、通気孔４２が設けられた基礎パッキン本体４１、及び、通気孔４１を塞ぐ通気性を有する断熱材５０から構成された基礎パッキンである。通気孔４２を塞いでいる断熱材５０は、通気性を有するため、この通気孔４２を介して、湿度を外部に排出することができる。また、通気孔４２を塞いでいるのは、断熱材であるため、通気孔４２から、空気（下方空間５０３の空気）が外部に排出されることを著しく防止し、断熱性を向上させることができる。
【００４２】
浴室５０２の下方空間５０３を形成する布基礎２０３には、浴室５０２の下を点検するための基礎点検口１が設けられている。基礎点検口１は、すでに説明したように、枠体２０と断熱性を有する蓋体１０とから構成されており、蓋体１０を枠体２０から取り外すことにより、浴室５０２の下を点検することができる。枠体２０と蓋体１０との当接面には、気密テープ１５（パッキン）が設けられており、枠体２０と蓋体１０との間に隙間が生じることを防止することができるため、蓋体１０を枠体２０に嵌合した状態での気密性を高めることができる。
【００４３】
下方空間５０３の下側に位置するベタ基礎２０１には、密閉栓付き水抜き栓３００が設けられている。水抜き栓３００は、建物５００の建築中にベタ基礎２０１に溜まる雨水を抜くためのものであり、建物５００が完成した後は、原則不要である。しかしながら、水抜き栓５００が開口したままであると、下方空間５０３の気密性が損なわれるため、密閉蓋で蓋をし、気密性を高めている。さらに、密閉蓋により、地中からの湿気や白アリの侵入を防止することを可能としている。
【００４４】
また、建物５００の屋外に面した布基礎２０２とベタ基礎２０１との境界２０５には、この境界２０５を覆うように止水シート１０１が建物５００の屋外側から貼付されている。これにより、布基礎２０２とベタ基礎２０１との境界２０５に隙間が生じたとしても、この隙間から建物５００の下方空間５０３に水が侵入することを著しく防止することができる。その結果、建物５００の下方空間５０３の湿度が上昇してしまうことを防止することができ、断熱性を向上させることが可能となる。
【００４５】
図５は、本発明に係る基礎点検口が備えられた他の建物の一例を示す断面透視図である。
図５に示す建物６００は、図４に示した建物５００と比して、浴室６０２の上側には、２階部分がなく、屋根が設けられている点で異なり、他の点で略同様の構成を有している。以下、建物６００を説明する。
【００４６】
図５に示すように、建物６００では、コンクリート製のベタ基礎７０１に立設された布基礎（布基礎７０２及び布基礎７０３）に、基礎パッキン４０を介して土台７０４が載置され、その上に、床６１０、壁（外周壁６０８や浴室壁（ドア）６０５）、屋根６１２等が所定の位置に配置されている。これにより、建物６００には、ユニットバス６０４が配設された浴室６０２と、例えば洗面脱衣室などの浴室以外の居住部６０１とが形成される。
なお、布基礎７０２は、屋外に面した布基礎であり、布基礎７０３は、浴室６０２の下方空間６０３と浴室以外の居住部６０１の床下６１１とを区画するための布基礎である。
【００４７】
下方空間６０３を囲む布基礎７０２及び布基礎７０３の内壁には、断熱材６０７が設けられている。
【００４８】
また、下方空間６０３を囲む布基礎７０２及び布基礎７０３の上に載置されている基礎パッキン４０は、通気孔４２が設けられた基礎パッキン本体４１、及び、通気孔４１を塞ぐ通気性を有する断熱材５０から構成された基礎パッキンである。
【００４９】
浴室６０２の下方空間６０３を形成する布基礎７０３には、浴室６０２の下を点検するための基礎点検口１が設けられている。すでに説明したように、基礎点検口１は、枠体２０と断熱性を有する蓋体１０とから構成されている。
【００５０】
下方空間６０３の下側に位置するベタ基礎７０１には、密閉栓付き水抜き栓３００が設けられている。
また、建物６００の屋外に面した布基礎７０２とベタ基礎７０１との境界７０５には、この境界７０５を覆うように止水シート１０１が建物６００の屋外側から貼付されている。
【００５１】
以上、基礎点検口１は、枠体２０と、断熱性を有する蓋体１０とを有し、蓋体１０を枠体２０の前面側から嵌め込むことで蓋体１０と枠体２０とが夫々の全周にわたって互いに当接する当接面として、蓋体１０の全周に蓋体側当接面１６が設けられるとともに、枠体２０の開口部２９の全周に枠体側当接面３０が設けられ、蓋体側当接面１６に気密テープ１５が取り付けられている。
このように、基礎点検口１によれば、気密テープ１５により、枠体２０と蓋体１０との間に隙間が生じることを防止することができるため、蓋体１０を枠体２０に嵌合した状態での気密性を高めることができる。
【００５２】
また、基礎点検口１は、蓋体１０を枠体２０に押止するスライド式ロック１３を有する。スライド式ロック１３により蓋体１０を枠体２０に押止するため、嵌合した蓋体１０が枠体２０から脱落したり、嵌合が緩くなったりすることを防止することができる。その結果、気密テープ１５によって向上した気密性を維持することが可能となる。
【００５３】
また、基礎点検口１は、枠体２０の開口部２９を塞ぎ、布基礎に配置後に打ち抜くことができる打抜き板２１を有し、当該打抜き板２１は、枠体２０の後縁部に沿った肉薄部２２を介して枠体２０に一体的に形成されている。
これにより、打抜き板２１によって枠体２０の形状が維持されるため、布基礎形成時に流し込まれるコンクリートによって枠体２０にひずみが生じることを防止することができる。また、打抜き板２１は枠体２０の開口部２９を塞いでいるため、布基礎形成時にコンクリートが枠体内に流れ込むのを防止することができる。さらに、打抜き板２１は、肉薄部２２を介して枠体２０とつながっているため、布基礎完成後に容易に打ち抜くことができる。
【００５４】
また、基礎点検口１は、枠体２０の下部に、枠体２０を布基礎形成下地面に仮止めするための仮止釘用リブ２８を有する。
従って、仮止釘用リブ２８により、釘等を用いて枠体２０を布基礎形成下地面に仮止めすることができる。その結果、布基礎形成用の型枠内における枠体の位置決めが容易になる。また、型枠内にコンクリートを流し込んだ際に、枠体２０が浮き上がる等、位置がずれるのを防止することができる。
【００５５】
また、基礎点検口１は、枠体２０に蓋体１０を押止した状態の前面及び枠体２０の後縁面が養生テープ３１で覆われている。
従って、布基礎形成後に養生テープ３１を剥がすことにより、型枠の離型剤が付着して蓋体１０及び枠体２０が汚れるのを防止することができる。
【００５６】
本実施形態では、気密テープ１５を蓋体１０の当接面（蓋体側当接面１６）にのみ取り付ける場合について説明したが、本発明においては、パッキンを枠体側の当接面に取り付けてもよく、蓋体側及び枠体側の両方の当接面に取り付けてもよい。
【００５７】
また、本実施形態では、気密性を高めるために、気密テープ１５とスライド式ロック１３とを用いる場合について説明したが、本発明においては、パッキンを設けずに、蓋体を枠体に押止するロック機構のみを設けることとしてもよい。ロック機構により蓋体を枠体に押止するため、蓋体と枠体との間に生じる隙間を小さくすることができ、蓋体を枠体に嵌合した状態での気密性を高めることができるからである。
【００５８】
以上、本発明に係る基礎点検口の実施形態について説明したが、本発明の基礎点検口は、上述した例に限定されるものではなく、本発明の構成を充足する範囲内で、適宜設計変更を行うことが可能である。
【図面の簡単な説明】
【００５９】
【図１】（ａ）は、本実施形態に係る基礎点検口の平面図であり、（ｂ）は、正面図であり、（ｃ）は、横断面図であり、（ｄ）は、側面図である。
【図２】（ａ）は、蓋体の平面図であり、（ｂ）は、右側面図であり、（ｃ）は、正面図であり、（ｄ）は、左側面図であり、（ｅ）は、底面図であり、（ｆ）は、背面図である。
【図３】（ａ）は、枠体の平面図であり、（ｂ）は、正面図であり、（ｃ）は、背面図であり、（ｄ）は、横断面図である。
【図４】本発明に係る基礎点検口が備えられた建物の一例を示す断面透視図である。
【図５】本発明に係る基礎点検口が備えられた他の建物の一例を示す断面透視図である。
【符号の説明】
【００６０】
１  基礎点検口
１０  蓋体
１３  スライド式ロック
１５  気密テープ
１６  蓋体側当接面
２０  枠体
２１  打抜き板
２２  肉薄部
２８  仮止釘用リブ
２９  開口部
３０  枠体側当接面
３１  養生テープ
２０２、２０３、７０２、７０３  布基礎
２０４、７０４  土台
５００、６００  建物
５０２、６０２  浴室
【図１】
0005281813.tif 000002
【図２】
0005281813.tif 000003
【図３】
0005281813.tif 000004
【図４】
0005281813.tif 000005
【図５】
0005281813.tif 000006